(57)【要約】【課題】低コストで簡易に製造可能な継手用カバー、及び、この継手用カバーを用いて継手部材をカバーする継手部材のカバー方法を提供する。【解決手段】重ね合わされたシート部材１２Ａとシート部材１２Ｂとは、第１開口端部１６Ａ、第２開口端部１６Ｂ、及び第３開口端部１６Ｃの中央部１４と対向する端辺部分を除いて外側端辺部分が接着（融着）された袋状となっている。この袋状とされたシート部材１２Ａ、１２Ｂの内部に構成される収納空間Ｒへ継手部材３０を収納し、シート部材１２Ａ、１２Ｂと管Ｋとを密着させて、接着テープ２６で、第１開口２２Ａ、第２開口２２Ｂ、第３開口２２Ｃを封止する。【選択図】        図２
2006342911.tif 000002
【特許請求の範囲】
【請求項１】
可撓性シートで袋状に構成され、袋内部に継手部材を収納可能な収納空間を構成すると共に、前記継手部材と接続される管を前記収納空間へ挿入可能な開口を構成する開口端を有するシート部材、を備えた継手用カバー。
【請求項２】
前記シート部材に前記継手部材が通過可能な大開口が形成され、
前記シート部材は、前記大開口を封止する大開口封止部材を備えていること、
を特徴とする請求項１に記載の継手用カバー。
【請求項３】
前記開口のうちの少なくとも１つは、前記継手部材が通過可能な大きさとされていることを特徴とする請求項１に記載の継手用カバー。
【請求項４】
前記開口端は、挿入される管の外側方向に向かって凸状とされていることを特徴とする請求項１乃至請求項３のいずれか１項に記載の継手用カバー。
【請求項５】
請求項１乃至請求項３のいずれか１項に記載の継手用カバーを用いて継手部材をカバーする継手部材のカバー方法であって、
前記継手用カバーのシート部材内の収納空間に継手部材を収納すると共に、前記開口から前記継手部材と接続される管を挿入し、
前記開口端と前記開口から挿入された管とを密着させて封止部材で前記収納空間を密閉状態として継手部材をカバーする、継手部材のカバー方法。
【発明の詳細な説明】
【技術分野】
【０００１】
本発明は、給水、給湯に用いられる各種配管用の継手を被覆する継手用カバー、及び、この継手用カバーを用いて継手部材をカバーする継手部材のカバー方法に関するものである。
【背景技術】
【０００２】
従来より、各種配管用の継手部分から水、ゴミや埃などの異物が進入するのを防ぐために、種々の継手用カバーが用いられている（特許文献１、特許文献２参照）。通常、継手用カバーは、継手の形状に沿った立体形状とされ、継手と接続される管に対応するサイズの開口が構成されている。
【特許文献１】特開平９−１５９０９４号公報
【特許文献２】特開平１０−３０７８３号公報
【発明の開示】
【発明が解決しようとする課題】
【０００３】
しかしながら、従来の継手用カバーは、継手の形状に沿った立体形状であるため、立体成型する必要があった。また、開口も継手と接続される管に対応するサイズとされていたため、管及び継手のサイズに応じて種々のサイズのものを準備する必要があった。このため、製造コストが高くなっていた。
【０００４】
本発明は、上記事実を考慮して成されたものであり、低コストで簡易に製造可能な継手用カバー、及び、この継手用カバーを用いて継手部材をカバーする継手部材のカバー方法を提供することを目的とする。
【課題を解決するための手段】
【０００５】
上記課題を解決するために、請求項１に記載の継手用カバーは、可撓性シートで袋状に構成され、袋内部に継手部材を収納可能な収納空間を構成すると共に、前記継手部材と接続される管を前記収納空間へ挿入可能な開口を構成する開口端を有するシート部材、を備えている。
【０００６】
本発明の継手用カバーは、可撓性シートで袋状に構成されたシート部材を備えている。シート部材には、袋状とされているその袋内部に継手部材を収納可能な収納空間が構成されている。継手部材は、この収納空間へ収納される。また、シート部材は、継手部材と接続される管を収納空間へ挿入可能な開口を構成する開口端を有している。したがって、前記開口から管を挿入して収納空間に収納されている継手部材と管とを接続することができる。そして、前記収納空間に継手部材と接続された管を収納した状態において、粘着テープなどの封止部材で開口端と挿入された管とを密着させて開口を封止し、収納空間を密閉状態とする。
【０００７】
本発明によれば、シートが袋状とされたシート部材で収納部材をで覆うことができるので、立体成型された部材を製造する必要がなく簡易な構成の継手用カバーとすることができ、低コストで継手用カバーを製造することができる。
【０００８】
また、シート部材はシートで構成されているので、シート部材を継手部材に密着するように折り曲げて封止部材で開口端を封止することにより、収納空間を容易に密閉状態にすることができると共に、開口より小さい径の管であれば、あらゆるサイズのものに用いることができ、管のサイズ毎に別規格とする必要がなく、低コストで製造することができる。
【０００９】
請求項２に記載の継手用カバーは、前記シート部材に前記継手部材が通過可能な大開口が形成され、前記シート部材が前記大開口を封止する大開口封止部材を備えていること、を特徴とする。
【００１０】
上記構成によれば、大開口から容易に継手部材を収納空間に収納できると共に、収納部材を収納した後に、大開口封止部材によって大開口を封止することができる。
【００１１】
請求項３に記載の継手用カバーは、前記開口のうちの少なくとも１つが、前記継手部材が通過可能な大きさとされていることを特徴とする。
【００１２】
上記構成によれば、管を挿入するための開口から継手部材を収納空間に収納することができる。
【００１３】
請求項４に記載の継手用カバーは、前記開口端が、挿入される管の外側方向に向かって凸状とされていることを特徴とする。
【００１４】
上記構成によれば、凸状とされた開口端と管とを容易に密着させて開口を封止することができる。
【００１５】
請求項５に記載の継手部材のカバー方法は、請求項１乃至請求項３のいずれか１項に記載の継手用カバーを用いて継手部材をカバーする継手部材のカバー方法であって、前記継手用カバーのシート部材内の収納空間に継手部材を収納すると共に、前記開口から前記継手部材と接続される管を挿入し、前記開口端と前記開口から挿入された管とを密着させて封止部材で前記収納空間を密閉状態として継手部材をカバーするものである。
【００１６】
上記継手部材のカバー方法によれば、収納空間に継手部材を収納した後、開口を封止することにより、容易に継手部材をカバーすることができる。
【発明の効果】
【００１７】
本発明の継手用カバー及び継手部材のカバー方法は、上記構成としたので、低コストで簡易に製造することができ、また、容易に継手部材をカバーすることができる。
【発明を実施するための最良の形態】
【００１８】
以下、図面を参照して本発明に係る継手用カバー、及び、この継手用カバーを用いた継手部材のカバー方法について説明する。
【００１９】
［第１実施形態］
本実施形態の継手用カバー１０は、図２に示す継手部材３０をカバーするためのものである。継手部材３０は、Ｔ字状で３つの受口３１、３２、３３を有している。継手部材３０としては、特開２００４−１００７９４号に開示されているような、管を受口に差し込むことにより、接続が維持される機構を有するものを用いることができる。
【００２０】
図１に示すように、継手用カバー１０は、２枚のシート部材１２Ａ、１２Ｂを備えている。
【００２１】
シート部材１２Ａ、１２Ｂは、各々薄いシートで構成され、同一形状とされている。シート部材１２Ａ、１２Ｂは、略正方形状の中央部１４、中央部１４の一辺から外側に向かう長方形状の第１開口端部１６Ａ、中央部１４の前記一辺と隣り合う他辺から外側に向かう長方形状の第２開口端部１６Ｂ、中央部１４の前記一辺と対向する一辺から外側に向かう長方形状の第３開口端部１６Ｃ、で構成されている。中央部１４、第１開口端部１６Ａ、第２開口端部１６Ｂ、及び第３開口端部１６Ｃは、１枚のシートで一体的に構成されている。
【００２２】
なお、シート部材１２Ａ、１２Ｂは、シート状の部材をカッターで型抜きして製造することができる。シート部材としては、汎用プラスチックフィルム、エンプラフィルムなどを用いることができる。汎用プラスチックフィルムとしては、ＬＤＰＥ（含Ｌ−ＬＤＰＥ）フィルム、Ｌ−ＬＤＰＥシーラントフィルム、ＨＤＰＥフィルム、ＰＥパレットストレッチフィルム、ＰＥシュリンクフィルム、ＯＰＰフィルム、ＣＰＰフィルム、ＰＰシュリンクフィルム、多層ＰＯ系シュリンクフィルム、ＰＯ系ラップフィルム、ＥＶＡフィルム、ＥＶＯＨフィルム、ＥＶＯＨ系共押出フィルム、ＰＳフィルム、ＰＶＣストレッチフィルム、ＰＶＣ農業用フィルム、ＰＶＣマーキングフィルム、ＰＶＣインテリアフィルム、ＰＶＤＣフィルム、ＰＶＤＣ系共押出フィルム、二軸延伸ＰＶＡフィルム、ＰＶＡ無延伸フィルム、ＰＭＭＡフィルム、セロハン、ＴＡＣフィルム、ラベル用シュリンクフィルム、などが挙げられる。また、エンプラフィルムとしては、ＰＡ延伸（ＯＮＹ）フィルム、ＰＡ無延伸（ＣＮＹ）フィルム、ＰＥＴフィルム、ＰＥＮフィルム、ＰＡＮフィルム、ＰＣフィルム（汎用、芳香族）、α−ＰＯフィルム、などが挙げられる。
【００２３】
シート部材１２Ａとシート部材１２Ｂとは、重ね合わされ、第１開口端部１６Ａと第２開口端部１６Ｂの互いに隣り合う端辺部とこの端辺部の中央部１４側の延長上に位置する部分、及び、第２開口端部１６Ｂと第３開口端部１６Ｃの互いに隣り合う端辺部とこの端辺部の中央部１４側の延長上に位置する部分（以下これらの部分を「融着部１８」という）が融着されている（以下これらの部分を「融着部１８」という）。また、第１開口端部１６Ａ、中央部１４、及び第３開口端部１６Ｃの、第２開口端部１６Ｂと逆側の端辺部には、連続した帯状に粘着剤の塗布された粘着部２０が設けられている。粘着部２０では、シート部材１２Ａとシート部材１２Ｂとが接着されているが、剥がすことも可能とされている。
【００２４】
図２に示すように、重ね合わされたシート部材１２Ａとシート部材１２Ｂとは、第１開口端部１６Ａ、第２開口端部１６Ｂ、及び第３開口端部１６Ｃの中央部１４と対向する端辺部分を除いて外側端辺部分が接着（融着）された袋状となっている。この袋状とされたシート部材１２Ａ、１２Ｂの内部には、継手部材３０を収納可能な収納空間Ｒが構成される。
【００２５】
また、第１開口端部１６Ａ、第２開口端部１６Ｂ、及び第３開口端部１６Ｃの中央部１４と対向する端辺部分には、シート部材１２Ａとシート部材１２Ｂとで、第１開口２２Ａ、第２開口２２Ｂ、及び、第３開口２２Ｃが各々構成される。第１開口２２Ａ、第２開口２２Ｂ、及び、第３開口２２Ｃは、継手部材３０の受口３１、３２、３３と接続される管Ｋよりも大きいサイズとされている。
【００２６】
接着テープ２６は、片面に接着層を有する帯状の防水テープで構成されており、シート部材１２Ａ、１２Ｂに接着可能で、防水性を有し、シート部材１２Ａ、１２Ｂと管Ｋとを密着させて、第１開口２２Ａ、第２開口２２Ｂ、第３開口２２Ｃを封止することができる。
【００２７】
次に、継手用カバー１０を用いて、継手部材３０をカバーする手順について説明する。
【００２８】
まず、図３（Ａ）に示すように、シート部材１２Ａ、１２Ｂの粘着部２０を剥がして、収納空間Ｒへ継手部材３０を配置する。このとき、受口３１が第１開口２２Ａに、受口３２が第２開口２２Ｂに、受口３３が第３開口２２Ｃに、各々対応するように配置する。次に、シート部材１２Ａ、１２Ｂの粘着部２０を重ね合わせて接着する（図３（Ｂ）参照）。次に、継手部材３０の受口３１、３２、３３の各々と管Ｋを接続する（図３（Ｃ）参照）。そして、第１開口２２Ａ、第２開口２２Ｂ、第３開口２２Ｃを接着テープ２６で封止する（図３（Ｄ）参照）。このとき、シート部材１２Ａ、１２Ｂが、継手部材３０に沿った形状となるように折り曲げると共に、第１開口２２Ａ、第２開口２２Ｂ、第３開口２２Ｃ付近は、管Ｋに沿わせるように折り曲げ、シート部材１２Ａ、１２Ｂの上から接着テープ２６を管Ｋの周方向に巻き付ける。これにより、第１開口２２Ａ、第２開口２２Ｂ、第３開口２２Ｃは封止され、収納空間Ｒは密閉状態となり、継手部材３０と管Ｋとの接続部分のシール不良やが破損等の場合に、水、ゴミや埃などの異物が管Ｋに進入するのを防止することができる。
【００２９】
本実施形態によれば、袋状とされたシート部材１２Ａ、１２Ｂで継手部材３０を覆うことができるので、立体成型された部材を製造する必要がなく、カッターによる型抜きなどの簡易な工程で製造することができ、低コストで継手用カバー１０を製造することができる。
【００３０】
また、第１開口２２Ａ、第２開口２２Ｂ、第３開口２２Ｃを大きめのサイズとすることにより、径の異なる受口を有する継手部材にも用いることができ、この点においても製造コストを低くすることができる。
【００３１】
また、シート部材１２Ａ、１２Ｂは、継手部材３０に沿って折れ曲がり可能なシートで構成されているので、シート部材１２Ａ、１２Ｂを継手部材３０に密着するように折り曲げて、接着テープ２６で第１開口２２Ａ、第２開口２２Ｂ、第３開口２２Ｃを封止することにより、収納空間Ｒを容易に密閉状態にすることができる。
【００３２】
［第２実施形態］
次に、第２実施形態について説明する。本実施形態では、第１実施形態と同様の部分については同一の符号を付して詳細な説明は省略する。本実施形態の継手用カバー４０も、図２に示す継手部材３０をカバーするためのものである。
【００３３】
図４に示すように、継手用カバー４０は、２枚のシート部材４２Ａ、４２Ｂを備えている。
【００３４】
シート部材４２Ａ、４２Ｂは、各々薄いシートで構成され、同一形状とされている。シート部材４２Ａ、４２Ｂは、長方形状の中央部４４、中央部４４の長尺の一辺から外側に向かう長方形状の第１開口端部４６Ａ、中央部４４の前記一辺と隣り合う他辺から外側に向かう長方形状の第２開口端部４６Ｂ、中央部４４の前記一辺と対向する一辺から外側に向かう長方形状の第３開口端部４６Ｃ、で構成されている。中央部４４、第１開口端部４６Ａ、第２開口端部４６Ｂ、及び第３開口端部４６Ｃは、１枚のシートで一体的に構成されている。
【００３５】
なお、シート部材４２Ａ、４２Ｂは、シート状の部材をカッターで型抜きして製造することができ、シート部材としては、第１実施形態と同様のものを使用することができる。
【００３６】
シート部材４２Ａとシート部材４２Ｂとは、重ね合わされ、第１開口端部４６Ａの中央部４４の一辺と対向する端辺、第２開口端部４６Ｂの中央部４４の一辺と対向する端辺、第３開口端部４６Ｃの中央部４４の一辺と対向する端辺、を除く端辺部は、融着されている（以下これらの部分を「融着部４１」という）。したがって、重ね合わされたシート部材４２Ａとシート部材４２Ｂとで袋状とされ、シート部材４２Ａ、４２Ｂの内部には、継手部材３０を収納可能な収納空間Ｒ２が構成される。
【００３７】
また、第１開口端部４６Ａ、第２開口端部４６Ｂ、及び第３開口端部４６Ｃの中央部４４と対向する端辺部分には、シート部材４２Ａとシート部材４２Ｂとで、第１開口４８Ａ、第２開口４８Ｂ、及び、第３開口４８Ｃが各々構成される。第２開口４８Ｂは、継手部材３０の受口３１、３２、３３と接続される管Ｋよりも大きいサイズとされている。また、第１開口４８Ａ、及び、第３開口４８Ｃは、継手部材３０が通過可能なサイズとされている。これにより、継手部材３０を、第１開口４８Ａ、または、第３開口４８Ｃから収納空間Ｒ２へ収納することができる。
【００３８】
次に、継手用カバー４０を用いて、継手部材３０をカバーする手順について説明する。
【００３９】
まず、図６（Ａ）に示すように、第１開口４８Ａ、または、第３開口４８Ｃから継手部材３０を収納空間Ｒへ入れる。このとき、受口３１が第１開口４８Ａに、受口３２が第２開口４８Ｂに、受口３３が第３開口４８Ｃに、各々対応するように、また、継手部材３０を第２開口４８Ｂ側に寄せて配置する。次に、継手部材３０の受口３１、３２、３３の各々と管Ｋを接続する（図６（Ｂ）参照）。次に、シート部材４２Ａ、シート部材４２Ｂの、第２開口４８Ｂと逆側の部分を折り曲げる（図６（Ｃ）参照）。そして、第１開口４８Ａ、第２開口４８Ｂ、第３開口４８Ｃを接着テープ２６で封止する（図６（Ｄ）参照）。このとき、シート部材４２Ａ、４２Ｂは、継手部材３０に沿った形状となるように折り曲げると共に、第１開口４８Ａ、第２開口４８Ｂ、第３開口４８Ｃ付近は、管Ｋに沿わせるように折り曲げ、シート部材４２Ａ、４２Ｂの上から接着テープ２６を管Ｋの周方向に巻き付ける。なお、接着テープ２６は、シート部材４２Ａ、４２Ｂと管Ｋとの境界部分を覆うようにして巻き付けるのが好ましい。これにより、第１開口４８Ａ、第２開口４８Ｂ、第３開口４８Ｃは封止され、収納空間Ｒは密閉状態となり、継手部材３０と管Ｋとの接続部分のシール不良や破損等の場合に、水、ゴミや埃などの異物が管Ｋに進入するのを防止することができる。
【００４０】
本実施形態によれば、第１実施形態と同様の効果が得られると共に、開口部以外の端辺部がすべて融着されているので、粘着部２０を設けた場合のように、接着層の形成工程が不要となり、簡易に製造することができる。
【００４１】
なお、上記第１、第２実施形態では、受口が３個の継手部材３０をカバーする継手用カバーについて説明したが、本発明に係る継手用カバーは、あらゆる形状の継手部材に適用することができる。例えば、図７（Ａ）に示すように、受口が４個の継手部材５０に適用可能なように、十字形状の継手用カバー６０としたり、図７（Ｂ）に示すように、受口が５個の継手部材５２に適用可能なように、各々の受口に沿って開口端部を設けた継手用カバー６２としたりすることもできる。
【００４２】
また、上記実施形態では、シート部材を用いて継手部材３０をカバーしたが、継手部材３０の受口と管Ｋとの継目部分に自己融着テープを巻きつけて、異物が進入するのを防止することもできる。
【図面の簡単な説明】
【００４３】
【図１】第１実施形態の継手用カバーの平面図である。
【図２】第１実施形態の継手用カバー内に、継手部材が収納されている状態を示す図である。
【図３】第１実施形態の継手用カバーを用いて、継手部材をカバーする手順を説明する図である。
【図４】第２実施形態の継手用カバーの平面図である。
【図５】第２実施形態の継手用カバー内に、継手部材が収納されている状態を示す図である。
【図６】第２実施形態の継手用カバーを用いて、継手部材をカバーする手順を説明する図である。
【図７】本発明に係る継手用カバーの変形例である。
【符号の説明】
【００４４】
１０  継手用カバー
１２Ａ  シート部材
１２Ｂ  シート部材
１６Ａ  第１開口端部
１６Ｂ  第２開口端部
１６Ｃ  第３開口端部
２０    粘着部
２２Ａ  第１開口
２２Ｂ  第２開口
２２Ｃ  第３開口
２６  接着テープ
３０  継手部材
４０  継手用カバー
４２Ａ  シート部材
４２Ｂ  シート部材
４６Ａ  第１開口端部
４６Ｂ  第２開口端部
４６Ｃ  第３開口端部
４８Ａ  第１開口
４８Ｂ  第２開口
４８Ｃ  第３開口
５０  継手部材
５２  継手部材
６０  継手用カバー
６２  継手用シート
Ｋ    管
Ｒ    収納空間
Ｒ２  収納空間
【図１】
2006342911.tif 000003
【図２】
2006342911.tif 000004
【図３】
2006342911.tif 000005
【図４】
2006342911.tif 000006
【図５】
2006342911.tif 000007
【図６】
2006342911.tif 000008
【図７】
2006342911.tif 000009